【事件の表示】
　特許第２９１５３７０号「パチンコ遊技機」の請求項１、２に係る特許に対する特許異議の申立てについて、次のとおり決定する。
【結　論】
　訂正を認める。
　特許第２９１５３７０号の請求項１に係る特許を維持する。
【理　由】
１．手続きの経緯
　本件特許第２９１５３７０号の請求項１及び２に係る発明は、平成９年１月１３日に出願され、平成１１年４月１６日に設定登録されたものである。
　この特許に対し、異議申立人町田彬から特許異議の申立てがなされ、当審において取消理由を通知したところ、平成１２年９月１２日に訂正請求がなされた。
　
２．訂正の適否について
２-1．訂正の内容
　特許権者が求めている訂正の内容は、本件特許明細書を訂正請求書に添付した訂正明細書のとおりに訂正しようとするものである。すなわち、
（ａ）特許請求の範囲の「【請求項１】遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従つて高確率モードまたは低確率モードを実行するパチンコ遊技機において、
　図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
　大当たりが連続的に高確率モードで発生したときにその連続回数を計数し、該計数値が所定回数に達した場合、大当たり図柄選択乱数値に従って非常用図柄フォルダから大当たり図柄と次回の確率モードを取得することを特徴とするパチンコ遊技機。
　【請求項２】高確率モード連続回数の計数値を表示する表示手段を設けた請求項１に記載のパチンコ遊技機。」を、
　「【請求項１】遊技球が始動入賞口に入球または通過したことを検出することによって取得される大当たり選択乱数値が予め決められた大当たり数値であった場合、同時に取得される大当たり図柄選択乱数値に従って図柄用フオルダから大当たり図柄と次回の確率モードを決定する確率モード設定因子を取得し、大当たり終了後に確率モード設定因子に従つて高確率モードまたは低確率モードを実行するパチンコ遊技機において、
　図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
　大当たりが連続的に高確率モードで発生したときにその連続回数を計数し、該計数値を表示する表示手段を設けると共に、該計数値が所定回数に達した場合、大当たり図柄選択乱数値に従って非常用図柄フォルダから大当たり図柄と次回の確率モードを取得することを特徴とするパチンコ遊技機。」と訂正する。
２-2．訂正の目的の適否及び拡張・変更の存否
　上記（ａ）の訂正は、請求項１に係る発明を、請求項２に係る発明に限定するものであるから、特許請求の範囲の減縮を目的とするものである。
　そして、上記（ａ）の訂正は、願書に添付した明細書又は図面に記載した事項の範囲内においてするものであって新規事項を追加するものではなく、かつ、実質上特許請求の範囲を拡張し、又は変更するものではない。
２-3．むすび
　以上のとおりであるから、上記訂正は、特許法第１２０条の４第２項、同条第３項で準用する第１２６条第２項及び第３項の規定に適合するので、当該訂正を認める。
　
３．特許異議の申立てについて
３-1．異議申立て理由の概要
　異議申立人は、下記の証拠方法を提出し、本件の特許は、次の理由により特許法第１１３条第１項第２号に該当するから取り消されるべきである旨主張している。
　（１）本件の請求項１に係る発明は、甲第１号証及び甲第２号証に記載された発明に基いて、当業者が容易に発明をすることができたものであるから、この特許は特許法第２９条第２項の規定に違反してされたものである。
　（２）本件の請求項１に係る発明は、本件発明の出願前に出願され、本件発明の出願後に公開された、甲第３号証である特願平８−２８６１５２号の願書に最初に添付した明細書に記載された発明と同一であり、両者の発明者及び出願人が異なるので、この特許は特許法第２９条の２の規定に違反してされたものである。
　　　　　　　　　　　　　　　　　記
　甲第１号証：特開平５−２３７２３０号公報
　甲第２号証：特開平８−８０２号公報
　甲第３号証：特願平８−２８６１５２号（特開平１０−１０８９５３号）
３-2．本件発明
　本件の請求項１に係る発明（以下、本件発明という。）は、訂正明細書の特許請求の範囲の請求項１に記載されたとおりの、
　「遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従つて高確率モードまたは低確率モードを実行するパチンコ遊技機において、
　図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
  大当たりが連続的に高確率モードで発生したときにその連続回数を計数し、該計数値を表示する表示手段を設けると共に、該計数値が所定回数に達した場合、大当たり図柄選択乱数値に従って非常用図柄フォルダから大当たり図柄と次回の確率モードを取得することを特徴とするパチンコ遊技機。」
により特定されるものである。
３-3．甲第号証に記載された発明
  甲第１ないし３号証には、次の事項が記載されている。
　甲第１号証
（ａ）「【請求項１】可変表示ゲームを行わせる可変表示装置を有し、その可変表示ゲームにおいて当りが発生した場合に、遊技者に多くの利益獲得のチャンスを与える遊技機であって、可変表示ゲームの当り確率を決定する当り値を生成する第１の確率手段と、前記当り値を設定する確率設定装置と、可変表示ゲームで特定の態様により当りが発生したことを条件に、その後のゲ一ムの当り確率を決定する当り値を生成する第２の確率手段と、前記特定の態様を設定する特定態様設定手段と、前記第２の確率手段に基づいて行われた可変表示ゲームにおいて、前記特定の態様により当りが発生した回数を計数する特定態様計数手段とを備え、該特定態様計数手段が前記特定の態様による当りの発生回数を所定数、計数したことを条件に、その後のゲームの当り確率の決定は前記第１の確率手段に復帰して行われることを特徴とする遊技機。
【請求項２】前記特定態様計数手段が前記特定の態様による当りの発生回数を所定数計数した場合に、前記特定態様以外の当り態様を前記可変表示装置に表示させる様に制御する当り図柄制御手段を備えたことを特徴とする請求項１に記載の遊技機。」（特許請求の範囲）、
（ｂ）「具体的には、まず選択図柄と特定図柄とが一致すると判定された時点で前記ラッキ−Ｎｏ大当り信号が前記特定態様計数手段４０４Ｂに出力されると、該特定態様計数手段４０４Ｂは特定態様による大当りの回数を計数し、その回数が連続して２回までであれば前記特別当り値信号を前記当り値選択手段４１１に出力する。そして該当り値選択手段４１１は前記大当り可変表示特別当り値生成手段４１８から特別当り値を導入し、特別当り値信号として前記可変表示当り判定手段４０４に出力する。その結果、前記特別当り値に基づいて前記乱数抽選手段４０２で抽選された乱数が当りの乱数か否かが判断されることになる。該特別当り値の範囲は「８１９２〜７７８２」であるので当り確率は「４１０／８１９２＝１／２０」の高確率となっている。したがって遊技者は連続して２回の特別遊技を楽しむチャンスを得ることができるようになっている。（段落番号【０１２９】）、
（ｃ）「しかし前記ラッキ−Ｎｏ大当り信号が連続して３回、前記特定態様計数手段４０４Ｂに出力され、特定態様による大当りを３回計数した場合に該特定態様計数手段４０４Ｂは前記当り値選択手段４１１と前記当り図柄制御手段４０４Ｃに前記当り値復帰信号を出力する。その結果、前記当り図柄制御手段４０４Ｃはその特定態様以外の当り態様を前記可変表示部２１に表示させるように前記停止図柄選択手段４０７を制御する。また該当り値選択手段４１１は前記大当り可変表示当り値生成手段１〜３から設定当り値を導入し、当り値信号として前記可変表示当り判定手段４０４に出力され、ゲームの当り確率の決定は第１の確率手段に復帰して行われることになる。なお、特定態様以外による当りの場合には前記特定図柄不一致信号が前記当り値選択手段４１１に出力され、引続き設定当り値によりゲームが行われる。また特定態様による大当りが２回連続して発生しなかった場合にも前記特定図柄不一致信号が前記当り値選択手段４１１に出力され、ゲームの当り確率の決定は第１の確率手段に復帰して行われることになる。（段落番号【０１３０】）。
　甲第２号証
（ａ）「可変表示装置の表示結果が予め定めた特定表示結果となったことに基づいて特定遊技状態となって遊技者に所定の遊技価値を付与する弾球遊技機において、予め定められた所定条件の成立に基づいて前記可変表示装置の表示結果が前記特定表示結果を表示する確率をその後の所定回数の特定遊技状態が生起されるまで向上する確率向上手段と、該確率向上手段によって向上された確率向上期間中に再度前記所定条件が成立したときに、前記所定回数の値を更新する確率向上回数更新手段と、前記確率向上手段により向上された回数の累計が所定値であるか否かを判定する判定手段と、該判定手段の判定結果に応じて確率向上に関する制御を抑制する抑制手段と、を備えたことを特徴とする弾球遊技機。」（特許請求の範囲の【請求項１】）、
（ｂ）「次に、確変図柄の出現を抑制する動作について図２１を参照して説明すると、Ｓ５００で大当りか否かが判別され、・・・・・大当りであれば、Ｓ５１０でランダム２の値が一部の確変図柄に対応する「１８，２０，２１，２３」のいずれかであるか否かが判別され、・・・・・いずれかの値であれば、Ｓ５２０で確率変動規制カウンタＣ２の値が「６以上」か否かが判別される。・・・・・「６以上」であれば、累積計数値が予定値を超えているので、Ｓ５３０でランダム２の値「１８，２０，２１，２３」が確変図柄に対応しない「６，８，１２，１４」にそれぞれ書き換えられてサブルーチンを終了する。」（第１５欄３７行〜第１６欄２行）。
　甲第３号証
　特願平８−２８６１５２号の願書に最初に添付した明細書には、次のことが記載されている。（記載個所の表示は、特開平１０−１０８９５３号公報の個所である）
（ａ）「【従来の技術】従来、例えば、遊技盤の中央に設けられた可変表示装置（これを一般的に特別図柄表示装置という場合がある）が予め定めた大当り図柄（特定表示結果）となったときに、特定遊技状態を生起せしめる遊技機が多数市場に提供されていたが、これらの遊技機の中には、遊技者の興趣を引くため、例えば、複数種類の図柄のうち予め定めた確変図柄で大当り（特別表示結果）したときには、以後の可変表示装置の変動において大当り図柄の導出率を向上（これを確率変動又は確変という）せしめ、比較的短い間隔で特定遊技状態が発生するようにしたものが提案されている。」（第２欄２９行〜４４行）、
（ｂ）「【課題を解決するための手段】上記目的を達成するために本発明が採用した解決手段は、可変表示装置の表示結果が予め定めた特定表示結果となったことに基づいて特定遊技状態を発生して遊技者に所定の遊技価値を付与する遊技機において、前記可変表示装置に表示結果を導出する以前にその表示結果を決定する表示結果決定手段と、前記特定表示結果のうち予め定めた特別表示結果が導出されるとこれに基づいて特別遊技状態を発生させる特別遊技発生手段と、前記特別遊技状態の発生期間を計測する期間計測手段と、を備え、前記表示結果決定手段は、前記特別表示結果を前記特定表示結果の種類に含まない第一選択テーブルと特別表示結果を特定表示結果の種類に含む第二選択テーブルとを有し、前記期間計測手段による計測値が予め定めた特定計測値となった場合、第一選択テーブルを用いて特定表示結果の種類を決定することを特徴とする。」（第２欄２９行〜４４行）、
（ｃ）「以上のように、本実施形態の遊技機は、確率変動（特別遊技状態）の継続的な発生期間を確率変動規制カウンタＣ２でカウントし、そのカウント値が所定の値（本実施形態では「６」）に達すると、確変大当り図柄（特別表示結果）を大当り図柄（特定表示結果）の種類に含まないテーブルＡを用いて大当り図柄を決定することで、確変更新により長期間に亘って延長された確変期間を強制終了するようになっている。」（第１７欄４〜１１行）。
３-4．当審の判断
３-4-1．特許法第２９条第２項違反について
　本件発明と甲第１号証記載の発明とを対比すると、両者は、当たり確率が変動する遊技機であるという共通点を有するものの、甲第１号証記載の発明は、大当りが３回連続するタイプの遊技機（いわゆる３回権利物）であって、本件発明の「図柄用フォルダとして、高確率モードと低確率モードとの両方の確率モード設定因子を備えた通常用図柄フォルダと、低確率モードのみの確率モード設定因子しか備えない非常用図柄フォルダとの２種類」を備えておらず、両者は、具体的な遊技態様が異なる遊技機である。
　次に、本件発明と甲第２号証記載の発明とを対比すると、両者は、確率変動型のパチンコ遊技機であって、大当りが連続的に高確率モードで発生したときにその連続回数を計数し、計数値が所定の回数に達した場合、次回の確率モードを低確率モードとするパチンコ遊技機である点で一致するが、
　計数値が所定の回数に達した場合、次回の確率モードを低確率モードとする具体的な手段が、本件発明では、通常用図柄フォルダとは別に低確率モードのみの非常用図柄フォルダを用意し、その非常用図柄フォルダから次回の確率モードを取得するものであるのに対し、甲第２号証記載の発明では、別の非常用図柄フォルダは用意せず、確変図柄に対応する数値を確変図柄に対応しない数値に書き換えるものである点で相違し、さらに、甲第２号証記載の発明は、本件発の「大当たりが連続的に高確率モードで発生したときにその連続回数を計数し、該計数値を表示する表示手段」を備えていない。
　なお、異議申立人が上申書に添付した資料である特開平６−１８２０５０号公報に記載された遊技機は、いわゆる保留玉連チャン機であって、そこに配置された連チャン回数表示器４７は、本件発明の「大当たりが連続的に高確率モードで発生したときにその連続回数を計数し、該計数値を表示する表示手段」に相当するとはいえない。
　そして、本件発明は、高確率モードが連続して所定回数を上回って大当たりが発生することが防がれるので、遊技者の射幸心が極度に煽られることが自然に防止され、娯楽としてのパチンコ遊技の健全性を維持できるという、明細書記載の優れた効果を奏するものである。
　したがって、本件発明が甲第１号証及び甲第２号証に記載された発明に基いて当業者が容易に発明をすることができたものであるとは認められない。
３-4-2．特許法第２９条の２違反について
　本件発明と、上記特願平８−２８６１５２号の願書に最初に添付した明細書又は図面に記載された発明（以下、「先願発明」という）とを対比すると、先願発明の「可変表示装置の表示結果が予め定めた特定表示結果となったことに基づいて特定遊技状態を発生して遊技者に所定の遊技価値を付与する遊技機」及び「前記可変表示装置に表示結果を導出する以前にその表示結果を決定する表示結果決定手段と、前記特定表示結果のうち予め定めた特別表示結果が導出されるとこれに基づいて特別遊技状態を発生させる特別遊技発生手段」は、本件発明の「遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従って高確率モードまたは低確率モードを実行するパチンコ遊技機」に相当し、先願発明の「特別表示結果を特定表示結果の種類に含む第二選択テーブル」及び「前記特別表示結果を前記特定表示結果の種類に含まない第一選択テーブル」は、本件発明の「高確率モードと低確率モードとの両方の確率モード設定因子を備えた通常用図柄フォルダ」及び「低確率モードのみの確率モード設定因子しか備えない非常用図柄フォルダ」に相当し、先願発明の「確率変動（特別遊技状態）の継続的な発生期間を確率変動規制カウンタＣ２でカウントし、そのカウント値が所定の値に達すると、確変大当り図柄（特別表示結果）を大当り図柄（特定表示結果）の種類に含まないテーブルＡを用いて大当り図柄を決定する」は、本件発明の「大当たりが連続的に高確率モードで発生したときにその連続回数を計数し、該計数値が所定回数に達した場合、大当たり図柄選択乱数値に従って非常用図柄フォルダから大当たり図柄と次回の確率モードを取得する」に相当する。
　そうすると、本件発明と先願発明とは、遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従つて高確率モードまたは低確率モードを実行するパチンコ遊技機であって、図柄用フォルダは、高確率モードと低確率モードとの両方の確率モード設定因子を備えた通常用図柄フォルダと、低確率モードのみの確率モード設定因子しか備えない非常用図柄フォルダとの２種類があり、大当たりが連続的に高確率モードで発生したときにその連続回数を計数し、該計数値が所定回数に達した場合、大当たり図柄選択乱数値に従って非常用図柄フォルダから大当たり図柄と次回の確率モードを取得するパチンコ遊技機である点で一致するが、
　先願発明は、本件発明の構成要件である、「大当たりが連続的に高確率モードで発生したときにその連続回数を計数し、該計数値を表示する表示手段」を備えていない。すなわち、先願発明の数値表示器１６は、開閉板１１の開放回数と１回の開放中に受け入れられた入賞個数を兼用表示するものであって、本件発明の「大当たりが連続的に高確率モードで発生したときにその連続回数を計数し、該計数値を表示する表示手段」に相当するものではない。
　したがって、本件発明が先願発明と同一であるとすることはできない。
３-5．むすび
　以上のとおりであるから、特許異議の申立ての理由及び証拠方法によっては本件発明についての特許を取り消すことはできない。
　また、他に本件発明についての特許を取り消すベき理由を発見しない。
　よって、結論のとおり決定する。
【異議決定日】
平成１３年３月１６日（２００１．３．１６）
【訂正の要旨】
　特許第２９１５３７０号発明の明細書を本件訂正請求書に添付した訂正明細書のとおりに、すなわち、特許請求の範囲の減縮を目的として下記（ａ）のとおりに訂正する。
（ａ）特許請求の範囲の「【請求項１】遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従って高確率モードまたは低確率モードを実行するパチンコ遊技機において、
　図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
　大当たりが連続的に高確率モードで発生したときにその連続回数を計数し、該計数値が所定回数に達した場合、大当たり図柄選択乱数値に従って非常用図柄フォルダから大当たり図柄と次回の確率モードを取得することを特徴とするパチンコ遊技機。
　【請求項２】高確率モード連続回数の計数値を表示する表示手段を設けた請求項１に記載のパチンコ遊技機。」を、
　「【請求項１】遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従って高確率モードまたは低確率モードを実行するパチンコ遊技機において、
　図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
　大当たりが連続的に高確率モードで発生したときにその連続回数を計数し、該計数値を表示する表示手段を設けると共に、該計数値が所定回数に達した場合、大当たり図柄選択乱数値に従って非常用図柄フォルダから大当たり図柄と次回の確率モードを取得することを特徴とするパチンコ遊技機。」と訂正する。
（５４）【発明の名称】
パチンコ遊技機
（５７）【特許請求の範囲】
　【請求項１】　遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従って高確率モードまたは低確率モードを実行するパチンコ遊技機において、
図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
大当たりが連続的に高確率モードで発生したときにその連続回数を計数し、
該計数値を表示する表示手段を設けると共に、
【発明の詳細な説明】
　【０００１】
　【発明の属する技術分野】
　本発明は、大当たりが発生することにより大入賞口が開成状態となり、遊技球を入賞し易いようにするパチンコ遊技機に関するものである。
　【０００２】
　【従来の技術】
　遊技盤上に例えばＣＲＴ等の図柄変動表示装置と始動入賞口と大入賞口が設けられ、始動入賞口に遊技球が入賞または通過するとＣＲＴ等の図柄変動表示装置の表示図柄が変動して所定時間後に所定の確率（例えば２５０分の１の確率）で、「１１１」，「２２２」，「３３３」，「７７７」，「★★★」等の大当たり図柄に揃って停止すると大当たり状態となり、大入賞口の開閉扉がソレノイドの作動によって開成状態になり、遊技球がきわめて入り易くなり、該大入賞口に一定個数（例えば１０個）入賞するか、または３０秒経過すると閉成状態となるが、開成状態中に該大入賞口内に設けられている継続入賞口（Ｖゾーンと称される）に遊技球が入賞していた場合に該大入賞口は再び開成し、（第２ラウンドという）、遊技球がまたきわめて入賞し易くなり、さらに該大入賞口に一定個数入賞するか、または３０秒経過するまでの開成状態が続き、その間にまた継続入賞口に遊技球が入賞した場合はさらに続けて開成し（第３ラウンドという）、以降も同様に一定回数（例えば第１６ラウンドを最終ラウンドとする）を限度として該大入賞口が開成し、この結果、遊技者はその大当たり期間中に多数の景品球を獲得できるようにしたパチンコ遊技機は周知のとおりである。
　【０００３】
　また、大当たり図柄が、例えば「１１１」，「３３３」，「５５５」，「７７７」，「９９９」等の奇数で揃った場合のように、大当たり図柄が特定の図柄であった場合に、上記大当たり状態が終わった後の次に大当たり図柄が揃う確率（即ち大当たりの発生確率）が高確率（例えば２５分の１）となるように設定され、その結果、大当たりが何回も続けて発生するいわゆる確率変動型のパチンコ遊技機も知られている。
　【０００４】
　【発明が解決しようとする課題】
　ところが上記従来例のように、いったん大当たりが発生すると何らかの偶発的要因によりその後も続けて大当たりが発生し易くなるように構成された確率変動型のパチンコ遊技機では、大当たりが数拾回も連続して発生（いわゆる連チャン）することもあるので、遊技者の射幸心を著しく煽ることとなり、そのために賭博性が強くなって娯楽としてのパチンコ遊技の健全性が損われるという問題があった。
　【０００５】
　そこで本発明は、高確率の設定が連続的に一定回数を上回らないように規制し、上記のように徒に射幸心が煽られることのないようにするものである。
　【０００６】
　【課題を解決するための手段】
　そのために本発明のパチンコ遊技機は、遊技球が始動入賞口に入球または通過したことを検出することによって取得される大当たり選択乱数値が予め決められた大当たり数値であった場合、同時に取得される大当たり図柄選択乱数値に従って図柄用フォルダから大当たり図柄と次回の確率モードを決定する確率モード設定因子を取得し、大当たり終了後に確率モード設定因子に従って高確率モードまたは低確率モードを実行するパチンコ遊技機において、
図柄用フォルダは、高確率モードと低確率モードとの両方の確率モード設定因子を備えた通常用図柄フォルダと、低確率モードのみの確率モード設定因子しか備えない非常用図柄フォルダとの２種類があり、
大当たりが連続的に高確率モードで発生したときにその連続回数を計数し、該計数値が所定回数に達した場合、大当たり図柄選択乱数値に従って非常用図柄フォルダから大当たり図柄と次回の確率モードを取得することを特徴とする。
　また本発明は上記パチンコ遊技機において、高確率モード連続回数の計数値を表示する表示手段を設けたことを特徴とする。
　【０００７】
　【発明の実施の形態】
　次に本発明の実施の形態を図面に従い説明する。図１にこのパチンコ遊技機１の正面図を示し、図中２は打球がプールされる上皿、３は遊技者が回転操作する打球発射用ハンドル、４は下皿、５は前面に鍵によって開閉可能に設けられたガラス枠である。遊技盤６にはランプ７，通常入賞口８，始動入賞口９，大入賞口１０が設けられてるほか、ＣＲＴ等の図柄変動表示装置１１が中央に設けられている。１２は大入賞口１０に設けられソレノイドの作動により該大入賞口１０を開閉する開閉扉、１３は該大入賞口１０内に設けられた継続入賞口である。
　【０００８】
　図２にこのパチンコ遊技機のブロック図を示し、１４は始動入賞口９に設けられた始動入賞口スイッチ、１５は継続入賞口１３に設けられた継続入賞口スイッチ、１６は大入賞口１０内に設けられ該大入賞口１０中に入賞した打球の数を計数するカウントスイッチである。制御基板１７は、始動入賞口スイッチ１４の信号を受けて作動する抽選回路部１８と、表示図柄選択回路部１９と、表示駆動回路部２０が設けられ、抽選回路部１８には大当たり選択乱数値発生回路部２１、大当たり図柄選択乱数値発生回路部２２、はずれ図柄選択乱数値発生回路部２３、および、確率変更回路部２４から夫々信号が伝達される。また、表示図柄選択回路部１９には、通常用図柄フォルダ２５，非常用図柄フォルダ２６が設けられているほか、高確率モード連続回数計数回路部２７が設けられ、通常用図柄フォルダ２５には表１に例示したような大当たり図柄選択乱数値Ｒ２と、大当たりの発生確率モードＭの設定因子と、大当り図柄との相対関係が格納され、非常用図柄フォルダ２６には、通常用図柄フォルダ２５とは別異の表２に例示したような大当たり図柄選択乱数値Ｒ２と、大当たりの発生確率モードＭの設定因子と、大当たり図柄との相対関係が格納されている。なお、表１のモード設定因子は高確率と低確率とが入り乱れているのに対し、表２のモード設定因子は低確率のもののみとしている。
　【０００９】
　【表１】
　【表２】
　【００１０】
　また、３１は大入賞口開閉制御回路部で、該大入賞口開閉制御回路部３１には継続口入賞スイッチ１５およびカウントスイッチ１６が接続され、表示図柄選択回路部１９より大当たり発生信号を受けることにより、ソレノイド駆動回路部２８を介して大入賞口１０の開閉扉１２を開かしめると同時に、ランプ駆動回路部２９を介してランプ７を点滅させる。また、大入賞口１０に入賞した遊技球がカウントスイッチ１６により１０個計数されるか、または３０秒経過すると、大入賞口開閉制御回路部３１は大入賞口１０の開閉扉１２を閉じ、その間に継続入賞口１３に入賞していた場合は継続入賞ロスイッチ１５がこれを検出し、大入賞口開閉制御回路３１は大入賞口１０を再び開かしめる。そしてそれ以降も大入賞口１０は１６回を限度、即ち、１６ラウンド終了するのを限度として開いてその大当たり状態を終る。
　【００１１】
　図３にこのパチンコ遊技機の確率変動に係るフローチャートを示した。以下このフローチャートに従い本発明の作動を説明する。先ずステップａでは、抽選回路部１８の大当たり発生確率モードＭを低確率に設定し、ステップｂでは高確率モード連続回数計数回路部２７にてカウントされる高確率モード連続回数Ｈをゼロに設定する。
　【００１２】
　そして、始動入賞口９に遊技球が入球し（ステップｃ）、始動入賞口スイッチ１４が作動すると、ステップｄにて抽選回路部１８は大当たり選択乱数値発生回路部２１から０〜２５５のうちのいずれか１つの大当たり選択乱数値Ｒ１を取得すると共に、大当たり図柄選択乱数値発生回路部２２から０〜１４のうちのいずれか１つの大当たり図柄選択乱数値Ｒ２を取得し、さらに、はずれ図柄選択乱数値発生回路部２３から０〜２５５のうちのいずれか１つのはずれ図柄選択乱数値Ｒ３を取得する。そして、取得された大当たり選択乱数値Ｒ１が予め決められた大当たり数値かどうかが判別され、大当たりでないときは、ステップｆにて表示図柄選択回路部１９が大当たり図柄選択乱数値Ｒ３により選択されたはずれ図柄を選択し表示駆動回路部２０を介して図柄変動表示装置１１にそのはずれ図柄を表示する。
　【００１３】
　ここで大当たりであったときは、ステップｇにて確率モード連続回数Ｈが所定回数（例えば５回）に達していないかどうかが判別され、達していないときはステップｈの通常用図柄フォルダ２５に移行し表１に示した大当たり図柄選択乱数値Ｒ２に従い大当たり図柄が選択されると共に大当たり発生確率モードＭの設定因子が選定され（ステップｉ）、ステップｌにてその選択された大当たり図柄を図柄変動表示装置１１に表示する。この場合、確率モードＭの設定因子は高確率のものとなることも低確率のものとなることもある。
　【００１４】
　一方、高確率モード連続回数Ｈが所定回数に達していると、ステップｊの非常用図柄フォルダ２６に移行し表２に示した大当たり図柄選択乱数値Ｒ２に従い大当たり図柄および確率モード設定因子が選択され、その大当たり図柄がステップ１にて図柄変動表示装置１１に表示される。このとき選択される確率モードＭの設定因子は、大当たり図柄選択乱数値Ｒ２の値の如何に拘らず常に低確率のものとなる。
　【００１５】
　次いで、ステップｍにて大入賞口開閉制御回路３１による前述のような大入賞口１０の開放およびランプ７の点滅等からなる一連の大当たり処理がなされる。そしてステップｎにおいて、ステップｋまたはｉにて選択された設定因子が高確率か低確率かが判別され高確率因子であったときは、ステップｏにて確率変更回路部２４が抽選回路部１８に指令を出し大当たり発生確率モードＭを高確率に設定し、ステップｇにて高確率モード連続回数Ｈに１をプラスした後ステップｃに戻る。また、低確率因子であったときは、ステップｐにて確率変更回路部２４が抽選回路部１８に指令を出し大当たり発生確率モードＭを低確率に設定した後、ステップｂに戻る。
　【００１６】
　なお、大入賞口開閉制御回路３１は表示駆動回路部２０を介して図柄変動表示装置１１の一部に設けられた計数値表示部３０に高確率モード連続回数Ｈを表示することにより遊技者はその現状を遊技情報として知り得るようになっている。
　【００１７】
　このように本発明では、高確率モード連続回数Ｈが所定回数に達すると非常用図柄フォルダ２６から発生確率モードＭの設定因子および大当り図柄が選択されるようにしたので、高確率モードが多数回連続することがなくなる。このためパチンコ遊技の賭博的色彩を減少させるのに効果的である。
　【００１８】
　【発明の効果】　
　以上説明したように本発明によれば、大当たりの発生確率が変動する形態のパチンコ遊技機において、高確率モードが連続して所定回数を上回って大当たりが発生することが防がれるので、遊技者の射幸心が極度に煽られることが自然と防止され、娯楽としてのパチンコ遊技の健全性を維持するために有益である。
【図面の簡単な説明】
　【図１】
　本発明に係るパチンコ遊技機の一実施形態を示した正面図。
　【図２】
　本発明に係るパチンコ遊技機の一実施形態を示したブロック図。
　【図３】
　本発明に係るパチンコ遊技機の一実施形態を示したフローチャート。
　【符号の説明】
１　　　　パチンコ遊技機
９　　　　始動入賞口
１０　　　大入賞口
１１　　　図柄変動表示装置
１２　　　開閉扉
１３　　　継続入賞口
１４　　　始動入賞口スイッチ
１５　　　継続入賞口スイッチ
１６　　　カウントスイッチ
１７　　　制御基板
１８　　　抽選回路部
１９　　　表示図柄選択回路部
２１　　　大当たり選択乱数値発生回路部
２２　　　大当たり図柄選択乱数値発生回路部
２３　　　はずれ図柄選択乱数値発生回路部
２４　　　確率変更回路部
２５　　　通常用図柄フォルダ
２６　　　非常用図柄フォルダ
３０　　　計数値表示部
３１　　　大入賞口開閉制御回路
Ｍ　　　　大当たりの発生確率モード
Ｈ　　　　高確率モード連続回数
Ｒ１　　　大当たり選択乱数値
Ｒ２　　　大当たり図柄選択乱数値
Ｒ３　　　はずれ図柄選択乱数値